(57)【要約】【課題】本発明は、デモンストレーション終了時にテレビジョン受信機の近傍に人が存在していても、デモンストレーションを繰り返すことなく通常動作をするテレビジョン受信機を提供することを目的とする。【解決手段】本発明によるテレビジョン受信機１１は、デモンストレーション機能２５を有し、デモンストレーション機能２５をオン／オフ制御するデモンストレーション機能スイッチ２１と、人体検出用センサにより人体の動作を検出する人体動作検出部２２とを備え、デモンストレーション機能スイッチ２１がオン作動しているときに、人体動作検出部２２が検出エリアの状態が変化したことを検出するとデモンストレーション機能２５を所定時間動作し、当該所定時間のデモンストレーション機能２５動作後に通常動作することを特徴とする。【選択図】図２
2008294697.tif 000002
【特許請求の範囲】
【請求項１】
デモンストレーション機能を有するテレビジョン受信機において、
前記デモンストレーション機能をオン／オフ制御するデモンストレーション機能スイッチと、
人体検出用センサにより人体の動作を検出する人体動作検出部と、
を備え、前記デモンストレーション機能スイッチがオン作動しているときに、前記人体動作検出部が検出エリアの状態が変化したことを検出すると前記デモンストレーション機能を所定時間動作し、当該所定時間の前記デモンストレーション機能動作後に通常動作することを特徴とする、テレビジョン受信機。
【請求項２】
請求項１に記載のテレビジョン受信機において、
前記テレビジョン受信機に対する操作を検出する機器操作検出部をさらに備え、前記デモンストレーション機能動作中に前記機器操作検出部がオンになると、前記デモンストレーション機能が停止して通常動作することを特徴とする、テレビジョン受信機。
【請求項３】
請求項１に記載のテレビジョン受信機において、
前記人体動作検出部は前記テレビジョン受信機の前面の水平方向に所定間隔で間欠配置された前記検出エリアを備えていることを特徴とする、テレビジョン受信機。
【請求項４】
請求項１に記載のテレビジョン受信機の前記デモンストレーション機能動作後の通常動作時において、
前記人体動作検出部が前記検出エリアの状態が変化したことを検出すると、再び所定時間前記デモンストレーション機能を動作させることを特徴とする、テレビジョン受信機。
【請求項５】
請求項１に記載のテレビジョン受信機の前記デモンストレーション機能動作後の通常動作時において、
前記人体動作検出部が前記検出エリアの状態の変化を検出しないときは通常動作を続けることを特徴とする、テレビジョン受信機。
【請求項６】
請求項１に記載のテレビジョン受信機において、
前記検出エリアの状態の変化は、人の検出エリア外から検出エリア内への移動および／または検出エリア内から検出エリア外への移動を含むことを特徴とする、テレビジョン受信機。
【請求項７】
請求項１に記載のテレビジョン受信機において、
人が検出エリア内に存在し続ける状態は、前記検出エリアの状態の変化とはみなさないことを特徴とする、テレビジョン受信機。
【発明の詳細な説明】
【技術分野】
【０００１】
本発明はテレビジョン受信機に関し、特に、デモンストレーション機能を備えたテレビジョン受信機に関する。
【背景技術】
【０００２】
店頭展示用のテレビジョン受信機には、デモンストレーション機能を備えたものがある。デモンストレーション機能を備えたテレビジョン受信機は、デモンストレーション機能を常に動作させているものや、一定時間ごとに動作させているものなどがある。このようなデモンストレーション機能は、テレビジョン受信機の近くに人が存在しているのかどうかに関わらずデモンストレーションを繰り返し動作させるため、人に興味を持たれなくなるという問題があった。
【０００３】
この問題の対策として、人が電気機器の近傍に存在してこの機器を使用していない時のみにデモンストレーション機能を動作させる電気機器がある（例えば、特許文献１参照）。
【０００４】
【特許文献１】実開平５−７９５８９号公報
【発明の開示】
【発明が解決しようとする課題】
【０００５】
店頭に展示されたテレビジョン受信機は、映像の質を確認するために機器を操作せずに機器の近傍で静止して観賞することが多い。
【０００６】
しかし、特許文献１では、人が電気機器の近傍に存在している間、人体検出スイッチが常にオン状態になってしまうため、機器を操作しない限りデモンストレーション機能が繰り返されてしまう。従って、常にデモンストレーションが繰り返されると、テレビジョン受信機の通常動作時の映像を見ることができないという問題がある。
【０００７】
本発明は、これらの問題を解決するためになされたもので、デモンストレーション終了時にテレビジョン受信機の近傍に人が存在していても、デモンストレーションを繰り返すことなく通常動作をするテレビジョン受信機を提供することを目的とする。
【課題を解決するための手段】
【０００８】
上記の課題を解決するために、本発明によるテレビジョン受信機は、デモンストレーション機能を有し、デモンストレーション機能をオン／オフ制御するデモンストレーション機能スイッチと、人体検出用センサにより人体の動作を検出する人体動作検出部とを備え、デモンストレーション機能スイッチがオン作動しているときに、人体動作検出部が検出エリアの状態が変化したことを検出するとデモンストレーション機能を所定時間動作し、当該所定時間のデモンストレーション機能動作後に通常動作することを特徴とする。
【発明の効果】
【０００９】
本発明は、請求項１に記載のように、デモンストレーション機能を有するテレビジョン受信機であって、デモンストレーション機能スイッチはデモンストレーション機能をオン／オフ制御し、人体動作検出部は人体検出用センサにより人体の動作を検出し、デモンストレーション機能スイッチがオン作動しているときに、人体動作検出部が検出エリアの状態が変化したことを検出するとデモンストレーション機能を所定時間動作し、当該所定時間のデモンストレーション機能動作後に通常動作するので、デモンストレーション終了時にテレビジョン受信機の近傍に人が存在していても、デモンストレーションを繰り返すことなく通常動作をすることができる。
【発明を実施するための最良の形態】
【００１０】
本発明の実施形態について、図面に基づいて以下に説明する。
【００１１】
図１は、本発明の実施形態によるテレビジョン受信機の外観図である。図１に示すように、テレビジョン受信機１１は、前面部に焦電型赤外線センサ１２を備えている。焦電型赤外線センサ１２は、検出範囲内における温度変化を検出することによって、人が検出範囲内に存在しているのかどうかを検出することができる。
【００１２】
図２は、本発明の実施形態による制御ブロック図である。デモンストレーション機能スイッチ２１は、デモンストレーション機能２５をオン／オフ制御し、手動による切り替えが可能であり、テレビジョン受信機１１のメニュー画面上で操作するか、Ｂ−ＣＡＳカードの種類に応じて切り替える。例えば、Ｂ−ＣＡＳカードを用いた場合、専用のＢ−ＣＡＳカードが差し込まれたときのみデモンストレーション機能スイッチ２１をオンにすることが可能である。なお、デモンストレーション機能２５のオン／オフが可能であればいかなる操作手段であってもよい。
【００１３】
人体動作検出部２２は、人体検出用センサにより人体の動作を検出し、人体動作検出部２２が検出エリアの状態が変化したことを検出したとき、すなわち、人が検出エリア外から検出エリア内へ移動したときおよび／または検出エリア内から検出エリア外移動したときにオンとなる。従って、人が検出エリア内に存在し続ける状態は検出エリアの状態が変化したとはみなされない。なお、人体検出用センサとして焦電型赤外線センサ１２を用いたが、人の動作を検出できるセンサであればいかなるものであってもよい。機器操作検出部２３は、テレビジョン受信機１１の本体に備えられたキー、または、リモコンキーが押下されたかどうかを検出する。
【００１４】
図２に示すように、デモンストレーション機能スイッチ２１がオン状態で人体動作検出部２２が検出エリアの状態が変化したことを検出すると、制御部２４によってデモンストレーション機能２５が動作する。デモンストレーション機能２５が動作中に機器操作検出部２３がテレビジョン受信機１１の本体に備えられたキーまたはリモコンキーが押下されたことを検出すると、制御部２４によってデモンストレーション機能２５が停止する。一方、デモンストレーション機能２５が動作中に機器操作検出部２３による検出がない場合は、デモンストレーション機能２５を所定時間行なった後に停止する。デモンストレーション機能２５の停止後は、通常動作が実行される。なお、デモンストレーション機能２５の動作内容としては、製品の特長をＰＲできるような映像のテレビジョン受信機１１への表示、音量レベルの増加、テレビジョン受信機１１をスイーベルによって左右に動作させるなどがある。
【００１５】
図３は、本発明の実施形態における人体動作検出部２２の検出エリアを示す図である。図３に示すように、検出エリアはテレビジョン受信機１１の前面の水平方向に所定間隔で間欠配置されており、焦電型赤外線センサ１２に装着するフレネルレンズの種類によって任意に決めることが可能である。
【００１６】
図４に示すように、通常動作時のテレビジョン受信機１１において、検出エリア外から検出エリア内に人が移動すると人体動作検出部２２はオンとなり、デモンストレーションを所定時間動作する。
【００１７】
図５および図６に示すように、デモンストレーション終了時のテレビジョン受信機１１において、人が検出エリア内に存在するが静止しているとき、または、検出エリア内でのみ移動したときは人体動作検出部２２はオンしないため、デモンストレーションは動作しない。デモンストレーション機能２５の停止後は、通常動作が実行される。
【００１８】
図７に示すように、デモンストレーション終了時のテレビジョン受信機１１において、人が検出エリア内から検出エリア外に移動すると人体動作検出部２２はオンとなり、再びデモンストレーションを所定時間動作する。
【００１９】
図８に示すように、デモンストレーション終了時のテレビジョン受信機１１において、人が検出エリア外での移動または静止に関係なく人体動作検出部２２はオンしないため、デモンストレーションは動作しない。デモンストレーション機能２５の停止後は、通常動作が実行される。
【００２０】
図９に示すように、デモンストレーション終了時のテレビジョン受信機１１において、検出エリア外に存在していた人が再び検出エリア内に移動すると人体動作検出部２２はオンとなり、再びデモンストレーションを所定時間動作する。
【００２１】
図１０は、本発明の実施形態によるテレビジョン受信機１１の動作のフローチャートである。ステップＳ１において、デモンストレーション機能スイッチ２１がオンであるかどうかを判断する。デモンストレーション機能スイッチ２１がオフのときは通常動作となり（ステップＳ９）、オンのときはステップＳ２に移行する。ステップＳ２では、人が焦電型赤外線センサ１２の検出エリア外から検出エリア内に移動したのかどうかを人体動作検出部２２によって判断し、検出エリア内に移動していなければ通常動作となり（ステップＳ９）、検出エリア内に移動したことを人体動作検出部２２が検出するとデモンストレーションを開始する（ステップＳ３）。デモンストレーション動作中において、ステップＳ４では、テレビジョン受信機１１の本体キーまたはリモコンキーが押下されて機器操作検出部２３がオンしたのかどうかを判断し、オンと判断したときはデモンストレーションを停止して通常動作となり（ステップＳ９）、オンと判断しないときは所定時間デモンストレーションを動作させた後にデモンストレーションを終了する（ステップＳ５）。デモンストレーション終了後、ステップＳ６において、検出エリア内に人が存在するかどうかを判断する。検出エリア内に人がいなければ通常動作となり（ステップＳ９）、検出エリア内に人が存在する場合はステップＳ７に移行する。ステップＳ７では、検出エリア内に存在する人が検出エリア外に移動したのかどうかを判断し、検出エリア外に移動していなければ通常動作となり（ステップＳ８）、検出エリア外に移動したと判断すると再度デモンストレーションを開始する（ステップＳ３）。
【００２２】
以上のことから、人体動作検出部２２の検出エリア内に人が移動してきたときにデモンストレーションが開始し、人の注意を引き付けることができる。また、所定時間のデモンストレーション動作後に、人が検出エリア内に存在し続ける状態ではデモンストレーションを繰り返して動作せずに通常動作を行なうので、通常動作時の映像を観賞することが可能である。さらに、検出エリアがテレビジョン受信機１１の前面の水平方向に所定間隔で間欠配置されているため、人が検出エリア内から検出エリア外に移動すると再度デモンストレーションを開始し、人の注意を引き付けて注目度をさらに増加させることが可能である。
【図面の簡単な説明】
【００２３】
【図１】本発明の実施形態によるテレビジョン受信機の外観図である。
【図２】本発明の実施形態による制御ブロック図である。
【図３】本発明の実施形態による人体検出部における検出エリアを示す図である。
【図４】本発明の実施形態による人体検出部における検出エリアを示す図である。
【図５】本発明の実施形態による人体検出部における検出エリアを示す図である。
【図６】本発明の実施形態による人体検出部における検出エリアを示す図である。
【図７】本発明の実施形態による人体検出部における検出エリアを示す図である。
【図８】本発明の実施形態による人体検出部における検出エリアを示す図である。
【図９】本発明の実施形態による人体検出部における検出エリアを示す図である。
【図１０】本発明の実施形態によるテレビジョン受信機の動作のフローチャートである。
【符号の説明】
【００２４】
１１  テレビジョン受信機、１２  焦電型赤外線センサ、２１  デモンストレーション機能スイッチ、２２  人体動作検出部、２３  機器操作検出部、２４  制御部、２５  デモンストレーション機能。
【図１】
2008294697.tif 000003
【図２】
2008294697.tif 000004
【図３】
2008294697.tif 000005
【図４】
2008294697.tif 000006
【図５】
2008294697.tif 000007
【図６】
2008294697.tif 000008
【図７】
2008294697.tif 000009
【図８】
2008294697.tif 000010
【図９】
2008294697.tif 000011
【図１０】
2008294697.tif 000012